(57)【要約】【課題】  本考案は容易に着脱できる着脱式のクレセント錠防犯器具を用いて、窓を破りクレセント錠を開錠する侵入犯罪を防止する。又、災害時・緊急時に誰もが素早く外に出られるよう抜き取り式の鍵を用いない。さらに、本体の装着にネジや粘着テープ等を用いないことで、窓枠など備品を痛めることがない。【解決手段】  本考案はクレセント錠を施錠した状態で、クレセント錠の受け金と外側の窓ガラスとの隙間に挿入させる固定板１と、クレセント錠の基台の上に固定させる固定板２と、施錠されたクレセント錠のレバー１０が下ろされるのを防止する固定板３、及び底板４を合わせ持つ、直方体等の形状の本体を形成する。さらに固定板２がスライド可動式の場合、より多くのクレセント錠に対応が可能。よって上述の課題を解決し、侵入犯の防止や、防災的・経済的にも役に立つ。【選択図】  図１
0003115235.tif 000002
【実用新案登録請求の範囲】
【請求項１】
クレセント錠が施錠された状態で、クレセント錠の受け金と外側の窓ガラスとの隙間に挿入させる固定板１と、クレセント錠の基台の上に固定させる固定板２と、施錠されたクレセント錠のクレセントのレバー１０が下ろされて開錠されるのを防止する固定板３と、１、２、３、４を合わせるとクレセント錠から外れなくなることが可能な底板４を設け、１、２、３、４を含む本体が金属等硬度の高い適宜素材で形成され、直方体等適宜形状のクレセント錠防犯器具。
【請求項２】
請求項１の１、２、３、４を含むクレセント錠防犯器具をクレセント錠を覆い隠すように箱型に形作り、開閉可能な固定板２又は開閉可能な底板４に、掛け金やパッチン錠等適宜鍵またはそれに類する物６を装着し、外側に面ファスナー７を装着させて、侵入犯が開錠するのを幾重にも手間取らせ、難しくさせる、請求項１のクレセント錠防犯器具。
【請求項３】
請求項１、請求項２の固定板２が、クレセント錠に本体を装着した際、窓ガラスに対して水平に左右にスライドし、且つ任意の位置でネジ等で固定できるような、スライドレール等を用いたスライド装置を装着した、請求項１、請求項２ののクレセント錠防犯器具。
【考案の詳細な説明】
【技術分野】
【０００１】  本考案は、クレセント錠を施錠した状態で、クレセント錠の受け金と外側の窓ガラスとの間に生じる隙間と、クレセント錠の基台の凹部を利用して固定する、クレセント錠防犯器具である。
【背景技術】
【０００２】  窓ガラスに小さな穴を開け、その穴からクレセント錠を開錠する侵入犯が多い。侵入犯罪を防止する従来の防犯器具に於いては、抜き取り式の鍵による施錠器具の場合には、抜き取った鍵を紛失した場合等は、緊急時に外に出られない危険があった。又、窓枠に取り付けるクレセント錠の防犯用固定器具等の場合には、防犯器具を取り付けるのに必要な煩雑な作業ができない場合には使用できず、さらに、窓枠等を痛めるために賃貸住宅の場合には退室時に修繕費用が請求される場合があった。
【考案の開示】
【考案が解決しようとする課題】
【０００３】  防犯上、外出時は窓等を厳重に施錠しておきたいが、在宅時は外に出ることもあるので、窓等を厳重に施錠でき且つ容易に着脱及び施錠開錠できる防犯器具が必要であった。特に防災上、在宅時にクレセント錠に防犯器具を装着した状態で災害及び緊急事態が起こる場合を考慮すると、抜き取り式の鍵を装着しないで、誰でも容易にクレセント錠を開錠できる防犯器具が必要であった。又、賃貸住宅においては、窓枠等にネジや粘着テープ等で防犯器具を固定させて住宅備品を痛めることのない、着脱式の防犯器具が必要であった。従って、クレセント錠の上から独自な方法で本体を被せて、クレセント錠の構造を利用してクレセント錠防犯器具を固定させ、固定板２又は底板４に設置した掛け金やパッチン錠等適宜鍵またはそれに類する物６で施錠し、さらに６を面ファスナー７で覆って止めることにより、着脱容易で且つ住宅備品を痛めないクレセント錠防犯器具を可能にし、前述の欠点を解決しようとするものである。
【課題を解決するための手段】
【０００４】  本考案は、クレセント錠の受け金と外側の窓ガラスとの隙間に固定板１を挿入し、さらにクレセント錠の基台の凹部の上に固定板２を固定し、固定板３で施錠されたクレセント錠のクレセントのレバー１０が下ろせないようにし、固定板２又は底板４に設置した掛け金やパッチン錠等適宜鍵またはそれに類する物６を施錠することで、窓枠等を痛めることなくクレセント錠防犯器具を固定することを可能にし、前述の着脱又は施錠開錠の欠点、及び窓枠等住宅備品を痛める欠点を解決している。【０００５】  固定板１と固定板２、固定板３及び底板４を持つ、クレセント錠にほぼぴったりとした大きさの直方体等の形態の本体をクレセント錠に装着させることで、本体を上下にも左右にも移動させて取り除くことを難しくした。【０００６】  容易に開閉できる固定板２又は底板４に設置した掛け金やパッチン錠等適宜鍵またはそれに類する物６と、その上を覆う面ファスナー７により、災害時・緊急時でも誰でも容易に着脱及び施錠開錠でき、且つ、侵入者が窓ガラス等の小さな穴等から開錠するには多くの手間がかかることで、防犯的及び防災的欠点を解決した。
【考案の効果】
【０００７】  上述の様に、本考案のクレセント錠防犯器具は、窓枠のクレセント錠にさらに本防犯器具を装着させることで、防犯性が向上し、防犯器具を取り付ける煩雑な作業を必要としないので、賃貸住宅でも窓枠等を痛めることがなく経済的である。又、誰でも着脱させることができ、さらに抜き取り式の鍵ではないので災害時や緊急時に誰でも容易に施錠開錠できることで防災的にも役に立つことができる。
【考案を実施するための最良の形態】
【０００８】  最低限、固定板１、固定板２、固定板３、底板４を持ち、固定板１の右側又は左側に接する固定板２を持ち、且つ、固定板２又は底板４は開閉し、掛け金やパッチン錠等適宜鍵またはそれに類する物６により施錠する直方体等の形態。固定板２の位置は、クレセント錠が引き違い窓の枠の右側に付いている場合は固定板１の右側、左側に付いている場合は固定板１の左側になる。さらに本体の外側を面ファスナー７で覆うことにより、侵入犯に開錠することをさらに困難にさせ、幾重にも手間取らせることができる。
【実施例】
【０００９】  以下本考案を限定することを目的としない、本考案の実施例を図面に従って説明する。実施例１  以下、添付図面１、２、３、４に従って実施例１を説明する。本実施例は、クレセント錠が引き違い窓の枠の右側に付いている場合である。又、本実施例は、箱形のクレセント錠防犯器具である。１はクレセント錠の受け金と外側の窓ガラスとの隙間に挿入する固定板。２はクレセント錠の基台の凹部の上に固定する固定板。３はクレセントのレバー１０が下ろされるのを防止する固定板。４は開閉施錠可能な底板。５は１と３を繋ぐ側板。１、２、３、４、５を含む直方体が本体である。【００１０】  クレセント錠が施錠された状態で、本体が装着している面ファスナー７を外し、底板４に設置した掛け金やパッチン錠等適宜鍵またはそれに類する物６を開錠した状態で、まず固定板１をクレセント錠の受け金と外側の窓ガラスとの隙間に挿入し、本体を窓の窓枠まで引き寄せる。次に本体の位置を少しずつ下げて、固定板２をクレセント錠の基台の凹部上に固定して、本体全体を固定させる。【００１１】  蝶番８により開閉する底板４を閉じ、底板４に設置した掛け金やパッチン錠等適宜鍵またはそれに類する物６によって施錠する。【００１２】  さらに面ファスナー７を底板４から天板に掛けて、覆って止めることで、侵入者が開錠するのを困難にさせる。【００１３】実施例２  以下、添付図面５に従って実施例２を説明する。本実施例は、固定板２をスライドできるように可動式にした場合である。まず、実施例１のように箱形のクレセント錠防犯器具を形成する。次に、固定板２がクレセント錠に本体を装着した際、窓ガラスに対して左右にスライドし、且つ任意の位置でネジ等で固定できるような、スライドレール等を用いたスライド装置１６を装着する。スライドレールを用いる場合は、固定板１と固定板３の内側の固定板２の各々の付け根に、スライドレールを水平に装着する。固定板２の付け根（固定板１、３に接する部分）は、スライドレールに噛ませて、スライドレール上を左右にスライドできるようにする。さらに、任意の位置でネジ等で固定可能にする。従って、クレセント錠の形状により固定板２の装着位置が違う点を考慮し、１種類の本クレセント錠防犯器具で対応できるクレセント錠の種類を増やすことができる。【００１４】  本考案の一実施例は上述の如き構成からなるものであるから、容易に施錠できることは勿論、侵入者には開錠しにくく、しかし室内からの脱着は誰にでも容易にでき、窓枠などを傷めないクレセント錠の防犯器具を可能にした。
【図面の簡単な説明】
【００１５】
【図１】クレセント錠防犯器具の実施例１の斜視図
【図２】クレセント錠防犯器具の実施例１をクレセント錠の上から装着した、固定板２に関する正面図
【図３】クレセント錠防犯器具の実施例１の面ファスナー７を止めた斜視図
【図４】クレセント錠防犯器具の実施例１の固定板１に関する側面図
【図５】クレセント錠防犯器具の実施例２の固定板２に関する斜視図
【符号の説明】
【００１６】  １  固定板
２  固定板
３  固定板
４  底板
５  側面
６  掛け金やパッチン錠等適宜鍵またはそれに類する物
７  面ファスナー
８  蝶番
９  クレセント
１０  クレセントのレバー
１１  クレセント錠の基台
１２  クレセント錠の受け金
１３  窓枠
１４  外側の窓ガラスの断面
１６  スライド装置
【図１】
0003115235.tif 000003
【図２】
0003115235.tif 000004
【図３】
0003115235.tif 000005
【図４】
0003115235.tif 000006
【図５】
0003115235.tif 000007